(57)【要約】ランダムアクセス物理資源を示す方法および装置が開示される。この方法および装置は、ブロードキャストチャネルを介してランダムアクセススロットの内部構造を準静的に設定することを含んでもよい。さらに、本開示において、コンピュータ可読記憶媒体が提供される。【選択図】図１
2020512765.tif 000002
【特許請求の範囲】
【請求項１】
ランダムアクセス物理資源を示す方法であって、
前記方法は、ブロードキャストチャネルを介してランダムアクセススロットの内部構造を準静的に設定することを備え、
前記ランダムアクセススロットの前記内部構造は、
‐前記ランダムアクセススロットにおけるアップリンク部に対するダウンリンク部の比率、
‐前記ランダムアクセススロットにおける前記アップリンク部のランダムアクセスが占めるシンボルの数、
‐前記ランダムアクセススロットにおける前記アップリンク部のランダムアクセス物理資源の時間長、および
‐前記ランダムアクセススロットにおける前記アップリンク部に対するランダムアクセスチャネル（ＲＡＣＨ）機会の数、
のうち少なくとも１つを備える、方法。
【請求項２】
前記ランダムアクセススロットの前記内部構造は、ランダムアクセスプリアンブル形式に従って設定される、請求項１に記載の方法。
【請求項３】
ランダムアクセススロットのそれぞれが、１つ以上の周波数領域資源を、ランダムアクセス時間周波数資源として提供する、請求項１または２に記載の方法。
【請求項４】
ランダムアクセス物理資源を示す装置であって、
前記装置は、ブロードキャストチャネルを介してランダムアクセススロットの内部構造を準静的に設定するよう構成される第１設定モジュールを備え、
前記ランダムアクセススロットの前記内部構造は、
‐前記ランダムアクセススロットにおけるアップリンク部に対するダウンリンク部の比率、
‐前記ランダムアクセススロットにおける前記アップリンク部のランダムアクセスが占めるシンボルの数、
‐前記ランダムアクセススロットにおける前記アップリンク部のランダムアクセス物理資源の時間長、および
‐前記ランダムアクセススロットにおける前記アップリンク部に対するＲＡＣＨ機会の数、
のうち少なくとも１つを備える、装置。
【請求項５】
前記第１設定モジュールは、ランダムアクセスプリアンブル形式に従って前記ランダムアクセススロットの前記内部構造をセットするよう構成される、請求項４に記載の装置。
【請求項６】
前記第１設定モジュールは、さらに、１つ以上の周波数領域資源を、ランダムアクセス時間周波数資源として提供するようにランダムアクセススロットのそれぞれを設定するよう構成される、請求項４または５に記載の装置。
【請求項７】
ランダムアクセス物理資源を示す装置であって、
前記装置はプロセッサおよびメモリを備え、
前記メモリは、コンピュータ実行可能命令を格納するよう構成され、
前記コンピュータ実行可能命令は、前記プロセッサによって実行されると、請求項１〜３および４〜６のいずれか一項に記載の方法において提供される前記ランダムアクセススロットの前記内部構造を実施する、装置。
【請求項８】
ランダムアクセス物理資源を示す方法であって、
ブロードキャストチャネルを介して、基地局または送受信ポイント（ＴＲＰ）によって準静的に設定されるランダムアクセススロットの内部構造を受信することと、
前記基地局または前記送受信ポイントからのダウンリンク同期信号ブロックまたは基準信号と第１ランダムアクセススロットとの関連付け関係に従って、使用中のランダムアクセススロットを決定することと、
決定された前記ランダムアクセススロットで、または決定された前記ランダムアクセススロットの一部で、ランダムアクセス信号を送信することと、
を備える、方法。
【請求項９】
前記ランダムアクセススロットの前記内部構造は、
‐前記ランダムアクセススロットにおけるアップリンク部に対するダウンリンク部の比率、
‐前記ランダムアクセススロットにおける前記アップリンク部のランダムアクセスが占めるシンボルの数、
‐前記ランダムアクセススロットにおける前記アップリンク部のランダムアクセス物理資源の時間長、および
‐前記ランダムアクセススロットにおける前記アップリンク部に対するＲＡＣＨ機会の数、
のうち少なくとも１つを備える、請求項８に記載の方法。
【請求項１０】
前記方法は、さらに、各ランダムアクセススロットにおいて、１つ以上の周波数領域資源をランダムアクセス時間周波数資源として選択し、前記ランダムアクセス信号が前記ランダムアクセス時間周波数資源で送信されるようにすることを備える、請求項８に記載の方法。
【請求項１１】
ランダムアクセス物理資源を示す装置であって、
ブロードキャストチャネルを介して、基地局または送受信ポイント（ＴＲＰ）によって準静的に設定されるランダムアクセススロットの内部構造を受信するよう構成される、第２受信モジュールと、
前記基地局または前記送受信ポイントからのダウンリンク同期信号ブロックまたは基準信号と第１ランダムアクセススロットとの関連付け関係に従って、使用中のランダムアクセススロットを決定するよう構成される、第２決定モジュールと、
決定された前記ランダムアクセススロットで、またはそのランダムアクセススロットの一部で、ランダムアクセス信号を送信するよう構成される、第２送信モジュールと、
を備える、装置。
【請求項１２】
前記ランダムアクセススロットの前記内部構造は、
‐前記ランダムアクセススロットにおけるアップリンク部に対するダウンリンク部の比率、
‐前記ランダムアクセススロットにおけるランダムアクセスが占めるシンボルの数、
‐前記ランダムアクセススロットにおけるランダムアクセス物理資源の時間長、および
‐前記ランダムアクセススロットにおける前記アップリンク部に対するＲＡＣＨ機会の数、
のうち少なくとも１つを備える、請求項１１に記載の装置。
【請求項１３】
ランダムアクセス物理資源を示す装置であって、
前記装置はプロセッサおよびメモリを備え、
前記メモリは、コンピュータ実行可能命令を格納するよう構成され、
前記コンピュータ実行可能命令は、前記プロセッサによって実行されると、請求項８〜１０のいずれか一項に記載の方法を実施する、
装置。
【請求項１４】
コンピュータ実行可能命令を格納するよう構成されるコンピュータ可読記憶媒体であって、前記コンピュータ実行可能命令は、実行された後に、請求項１〜３、４〜６および８〜１０のいずれか一項の方法を実施可能である、コンピュータ可読記憶媒体。
【発明の詳細な説明】
【技術分野】
【０００１】
本発明は無線通信の分野に関し、とくに、ランダムアクセス物理資源を示す方法および装置ならびにその記憶媒体に関する。
【０００２】
［関連出願への相互参照］
本開示は、中国特許出願第２０１７１０１８９３２４．８号（２０１７年３月２７日出願）に係る優先権を主張し、その出願の開示は参照によりその全体が本明細書に援用される。
【背景技術】
【０００３】
新世代移動体通信システムでは、２Ｇ、３Ｇおよび４Ｇシステムで用いられたキャリア周波数よりも高いキャリア周波数上でシステムネットワーキングが行われる。現在、業界で広く認識され国際団体によって特定されている周波数帯は、主に３ＧＨｚ〜６ＧＨｚおよび６ＧＨｚ〜１００ＧＨｚである。早期の通信システムのネットワーキング周波数に対して、これらの周波数帯は比較的高く、伝搬における損失が比較的大きく、同じ出力でのカバレッジ半径が比較的小さい。また、これは、新世代移動体通信システムのネットワーキングにおけるカバレッジ半径を増大するためには、ビームフォーミング技術を採用する必要があるということを決定する。初期アクセスはカバレッジに対する要件がより高く、サービスが要求するよりも大きいカバレッジ範囲を要求する。ビームフォーミング技術は、さらに強く必要とされる。
【０００４】
ビームフォーミングが広く使われる新世代移動体通信システムでは、１つのビームが１つのセル全体を完全にカバーすることができず、セル全体（旧来の意味でのセクター）をカバーするには複数のビームが必要になる。複数のビームを同時に送信できない場合、セル全体またはセクターをカバーするためには時間次元におけるビームスキャンが必要である。ダウンリンク共通信号またはチャネル（同期信号、ブロードキャストチャネル、共通制御チャネル、共通トラフィックチャネル、等）については、セル全体のシームレスなカバレッジを確保する必要があり、ビームはカバレッジ要件に適合しなければならない。複数のビームを同時に送信できない場合には、各端末が、対応する共通信号または共通情報をセル内の可能な位置すべてにおいて読み取れるように、ビームスキャンの完全な処理を実行しなければならない。共通信号または共通情報によって搬送されるランダムアクセス設定メッセージを読み取った後、端末はそのランダムアクセス設定メッセージで通知されたランダムアクセス物理資源に従ってランダムアクセスを開始し得る。この時、単一のビームではセル全体をカバーできないので、基地局が端末にメッセージを送信しなければならない場合には、少なくとも、どのビームがその端末に情報を正しく伝達できる好適ビームであるかが既知でなければならない。従来技術では技術的解決策は提供されていない。基地局がランダムにビームを選択したり、特定の端末にすべてのビームでメッセージを送信したりする場合には、これが基地局によるビームの誤選択を起こして端末がメッセージを受信できなかったり、特定の端末にメッセージを送信するためにすべてのビームを使うのでビーム資源の浪費が起きたりする。
【０００５】
［サマリー］
本発明は、上述の問題を少なくとも部分的に解決することを望み、ランダムアクセス物理資源を示す方法および装置ならびにその記憶媒体を提供する。
【０００６】
第１の態様では、本開示は、ランダムアクセス物理資源を示す方法を提供し、この方法は、ブロードキャストチャネルを介してランダムアクセススロットの内部構造を準静的に設定することを含む。
【０００７】
第２の態様では、本開示は、ランダムアクセス物理資源を示す装置を提供し、この装置は、ブロードキャストチャネルを介してランダムアクセススロットの内部構造を準静的に設定するよう構成される、第１設定モジュールを含む。
【０００８】
第３の態様では、本開示は、ランダムアクセス物理資源を示す装置を提供し、この装置はプロセッサおよびメモリを含み、メモリはコンピュータ実行可能命令を格納し、このコンピュータ実行可能命令がプロセッサによって実行されると、第１の態様で提供されるランダムアクセス物理資源を示す方法のいずれかを実施してもよい。
【０００９】
第４の態様では、本開示はランダムアクセス物理資源を示す方法を提供し、この方法は、
ブロードキャストチャネルを介して、基地局または送受信ポイント（ＴＲＰ）によって準静的に設定されるランダムアクセススロットの内部構造を受信することと、
基地局または送受信ポイントからのダウンリンク同期信号ブロックまたは基準信号と第１ランダムアクセススロットとの関連付け関係に従って、使用中のランダムアクセススロットを決定することと、
決定されたランダムアクセススロットで、またはそのランダムアクセススロットの一部で、ランダムアクセス信号を送信することと、
を含む。
【００１０】
第５の態様では、本開示はランダムアクセス物理資源を示す装置を提供し、この装置は、
ブロードキャストチャネルを介して基地局または送受信ポイント（ＴＲＰ）によって準静的に設定されるランダムアクセススロットの内部構造を受信するよう構成される、第２受信モジュールと、
基地局または送受信ポイントからのダウンリンク同期信号ブロックまたは基準信号と、第１ランダムアクセススロットとの関連付け関係に従って、使用中のランダムアクセススロットを決定するよう構成される、第２決定モジュールと、
決定されたランダムアクセススロットで、またはそのランダムアクセススロットの一部で、ランダムアクセス信号を送信するよう構成される、第２送信モジュールと、
を含む。
【００１１】
第６の態様では、本開示はランダムアクセス物理資源を示す装置を提供し、この装置はプロセッサおよびメモリを含み、メモリはコンピュータ実行可能命令を格納し、このコンピュータ実行可能命令がプロセッサによって実行されると、第４の態様で提供されるランダムアクセス物理資源を示す方法のいずれかを実施する。
【００１２】
第７の態様では、本開示はさらにコンピュータ可読記憶媒体を提供し、このコンピュータ可読記憶媒体はコンピュータ実行可能命令を格納し、コンピュータ実行可能命令は、実行された後に、第１の態様または第４の態様で提供されるランダムアクセス物理資源を示す方法のいずれかを実施可能である。
【００１３】
本発明におけるランダムアクセス物理資源を示す方法および装置ならびにその記憶媒体について、基地局は、ブロードキャストチャネルを介してランダムアクセススロットの内部構造を設定する。そのようなランダムアクセススロットの内部構造が予め端末（たとえばユーザ装置（ＵＥ））に既知であれば、ＵＥは、ＵＥ自身がビームを検出した場合に、対応するランダムアクセススロットにおいてランダムアクセス要求を送信してもよく、そのようにすると、基地局がそのランダムアクセス要求を受信した後に、基地局は、端末がどのビームを検出したのかを知り、そのビームを用いてその端末に正しく情報を送信する。たとえば、ダウンリンク同期信号ブロックまたは基準信号と第１ランダムアクセススロットとの関連付け関係が、そのランダムアクセススロットの内部構造に従って、システムメッセージを介して通知される。ダウンリンク同期信号ブロックまたは基準信号はビームによって送信されるので、端末がある同期信号ブロックまたは基準信号を検出するか、最良受信信号品質の同期信号ブロックまたは基準信号を検出すると、第１ランダムアクセス物理資源がその関連付け関係に従って決定され、第１ランダムアクセス物理資源上でランダムアクセス要求が送信され、基地局は、端末が現在送信したランダムアクセス要求が配置されているランダムアクセス物理資源に従って、端末がどのビームを検出した可能性があるかを決定することができるか、または、端末が最高受信信号強度のビームを受信したと決定することができる。この方法によって決定されるビームが、端末に情報を送信するために用いられる場合には、端末が情報を正しく受信する確率がより高くなる。従来技術における、特定の端末にどのビームが情報を送信するかを端末が決定することができないという問題が、明らかに解決される。同時に、情報を送信するためにこのような態様で決定されるビームを採用することにより、基地局が送信した情報を端末が正しく受信する確率が向上する可能性がある。
【００１４】
図面は、本発明の技術的解決策のさらなる理解を提供するために用いられ、明細書の一部を構成し、本開示の実施形態および実施例とともに本発明の技術的解決策を説明するが、本発明の技術的解決策を限定するものではない。
【図面の簡単な説明】
【００１５】
【図１】本発明の実施形態１によるランダムアクセス物理資源を示す方法のフローチャート。
【図２】本発明の実施形態１によるランダムアクセス物理資源を示す装置の構造図。
【図３】本発明の実施形態２によるランダムアクセス物理資源を示す方法のフローチャート。
【図４】本発明の実施形態２によるランダムアクセス物理資源を示す装置の構造図。
【図５】本発明の一実施形態による、同期信号ブロックとランダムアクセス物理資源サブセットとの対応関係を例示する図。
【図６】本発明の一実施形態による同期信号バーストセットを例示する図。
【図７】本発明の一実施形態によるスロットを示す図。
【図８】本発明の一実施形態の例１による、ダウンリンク同期信号ブロックまたは基準信号、機会、ランダムアクセスチャネル（ＲＡＣＨ）スロットのマッピング関係を示す概略図である。
【図９】本発明の一実施形態の例１による、ダウンリンク同期信号ブロックまたは基準信号、機会、ＲＡＣＨスロットの、別のマッピング関係を示す概略図である。
【図１０】本発明の一実施形態の例１による、ダウンリンク同期信号ブロックまたは基準信号、機会、ＲＡＣＨスロットの、別のマッピング関係を示す概略図である。
【図１１】本発明の一実施形態の例２による、ダウンリンク同期信号ブロックまたは基準信号、機会、ＲＡＣＨスロットのマッピング関係を示す概略図である。
【図１２】本発明の一実施形態の例２による、ダウンリンク同期信号ブロックまたは基準信号、機会、ＲＡＣＨスロットの、別のマッピング関係を示す概略図である。
【発明を実施するための形態】
【００１６】
［詳細な説明］
本発明の目的、技術的解決策および利益は、図面と組み合わせた本発明の実施形態の詳細な説明からより明確となる。本開示において、各実施形態およびその特徴は、衝突しない限り互いに組み合わせることができるということに留意されたい。
【００１７】
図面のフローチャートに例示される各ステップは、たとえばコンピュータシステムにおいて、コンピュータ実行可能命令のセットによって実行することができる。さらに、フローチャートは実行の論理的順序を例示するが、例示または説明される各ステップは、一部の場合において、フローチャートとは異なる順序で実行可能である。
【００１８】
ある研究によれば、ランダムアクセス物理資源はすべてのビームについて共通の資源であり、ランダムアクセス物理資源のいかなるサブセットも、特定のビームのために特別には設定されない。利点は、ランダムアクセス物理資源はすべてのビームのための大規模な資源プールであり、資源選択範囲が比較的大きく、アクセス密度が高くない時にはランダムアクセスの衝突確率を低減できるということであるが、一方で、不利益もまた明白である。特定のビーム方向に対する資源サブセットは存在せず、端末が選択した資源を介して、端末が好むダウンリンクビームを基地局が決定するのは困難である。したがって、各実施形態では、基地局はランダムアクセス資源の内部構造を設定するよう通知し、端末が内部構造を知った後に、端末がランダムアクセス資源を選択し、内部構造に従うランダムアクセス要求と端末自身が検出したビームとを送信する。たとえば、端末は、ダウンリンク同期信号ブロックまたは基準信号と第１ランダムアクセススロットとの関連付け関係を取得し、このダウンリンク同期信号ブロックまたは基準信号は特定のビームとの対応関係を有する。したがって、端末が第１ランダムアクセススロット上でランダムアクセスを開始することを選択する場合には、端末が正しく検出し得るビームを端末が容易に決定できる可能性があり、端末に情報を送信するためにどのビームが用いられるかが決定される。これによって、端末への情報送信の成功率が向上する。
【００１９】
［実施形態１］
図１に示すように、ランダムアクセス物理資源を示す方法が提供され、以下に説明する各ステップを含んでもよい。
【００２０】
ステップ１０１において、ランダムアクセススロットの内部構造が、ブロードキャストチャネルを介して準静的に設定される。
【００２１】
ステップ１０２において、システムメッセージを介して、端末に、ダウンリンク同期信号ブロックまたは基準信号と、第１ランダムアクセススロットとの関連付け関係が通知される。
【００２２】
ステップ１０１は、ランダムアクセススロットの内部構造を決定することと、ブロードキャストチャネルを介してランダムアクセススロットの内部構造を準静的にブロードキャストすることとを含んでもよい。このようにして、基地局によって設定されるランダムアクセススロットの内部構造が、ブロードキャストチャネル上で端末によって受信され得る。基地局は、ランダムアクセススロットの内部構造を準静的にブロードキャストし、すなわち、準静的期間１つおきに対応する準静的期間において、基地局はランダムアクセススロットの内部構造をブロードキャストチャネルを介して１回ブロードキャストする。
【００２３】
ステップ１０２は、ランダムアクセススロットの内部構造に従って、ダウンリンク同期信号ブロックと第１ランダムアクセススロットとの関連付け関係を決定すること、および／または、基準信号と第１ランダムアクセススロットとの関連付け関係を決定することと、決定された関連付け関係をシステムメッセージを介して端末に通知することとを含んでもよい。
【００２４】
実際の適用では、ダウンリンク同期信号ブロックまたは基準信号とランダムアクセススロットとの関連付け関係には複数のランダムアクセススロットが関与していてもよく、Ｎ個のランダムアクセススロットが提供されてもよい（後述するように）。各実施形態の第１ランダムアクセススロットは、複数のランダムアクセススロットのうち第１スロットを表し、各ランダムアクセススロットは始点＋数によって完全に表現される。任意選択で、数Ｎが個別に通知され、第１ランダムアクセススロットもまた個別に通知されてもよい。
【００２５】
一実施態様では、ランダムアクセススロットの内部構造は、
‐ランダムアクセススロットにおけるアップリンク部に対するダウンリンク部の比率、
‐ランダムアクセススロットにおけるアップリンク部のランダムアクセスが占めるシンボルの数、
‐ランダムアクセススロットにおけるアップリンク部のランダムアクセス物理資源の時間長、および
‐ランダムアクセススロットにおけるアップリンク部に対するランダムアクセスチャネル（ＲＡＣＨ）機会の数、
のうち１つを少なくとも含んでもよい。
【００２６】
一実施態様では、ランダムアクセススロットの内部構造は、ダウンリンク部が支配的であるスロットであるか、または、アップリンク部が支配的であるスロットである。
【００２７】
一実施態様では、ランダムアクセススロットの内部構造は、ランダムアクセスプリアンブル形式に従って設定される。たとえば、ランダムアクセススロットの内部構造は、サポートされなければならないランダムアクセスプリアンブル形式に従って設定される。
【００２８】
一実施態様では、時間領域において、ダウンリンク同期信号ブロックまたは基準信号と第１ランダムアクセススロットとの関連付け関係は、ダウンリンク同期信号ブロックまたは基準信号の後のｋ番目のランダムアクセススロットが第１ランダムアクセススロットであるというものであってもよい（ただしｋは正の整数である）。
【００２９】
別の実施態様では、時間領域において、ダウンリンク同期信号ブロックまたは基準信号と第１ランダムアクセススロットとの関連付け関係は、ダウンリンク同期信号ブロックまたは基準信号と第１ランダムアクセススロットとの関連付け関係が、時間領域におけるダウンリンク同期信号ブロックまたは基準信号のインデックスに関連する、というものであってもよい。たとえば、ランダムアクセススロットはダウンリンク同期信号ブロックまたは基準信号の同じインデックスを選択してもよいし、ダウンリンク同期信号ブロックまたは基準信号のインデックスについて関数計算を実行することによってランダムアクセススロットが取得されてもよい。ここでインデックスはインデックス数であってもよい。
【００３０】
一実施態様では、方法はさらに、同期信号ブロックまたは基準信号とＮ個のランダムアクセススロットとの関連付け関係を決定することと、端末に明示的にまたは暗黙的に通知することとを含む（ただしＮは１以上の整数であるか、または０より大きく１未満の小数である）。実際の適用では、実施形態において、端末の実際の適用に対する同期信号ブロックまたは基準信号とＮ個のランダムアクセススロットとの関連付け関係の決定および通知と、同期信号ブロックまたは基準信号と第１ランダムアクセススロットとの関連付け関係の通知とについては、明確な手順は存在しない。ここで、端末が明示的に通知を受ける場合には、通知は明確な情報指示を介して実施される。端末が暗黙的に通知を受ける場合には、方法は、特定のメッセージまたは信号の間の対応関係を含んでもよく、関連付け関係が前もって確立され、そうしてメッセージまたは信号が送信される。関連付け関係は明示的には示されないが、端末は、示された関連付け関係を上述の対応関係に従って決定してもよい。
【００３１】
一実施態様では、数Ｎは、以下の設定：
‐ランダムアクセスチャネルプリアンブル形式、
‐ランダムアクセススロット設定、および
‐ランダムアクセス信号の長さ、
のうち少なくとも１つまたはこれらの任意の組み合わせによって決定されてもよい。
【００３２】
一実施態様では、ランダムアクセススロットの内部構造がブロードキャストチャネルを介して準静的に決定されるステップは、下記の各ステップの１つを含む。
【００３３】
同期信号バーストセットにおける、各同期信号ブロックまたは各基準信号と、それぞれ対応する第１ランダムアクセススロットとの間の関連付け関係は同じである。
【００３４】
同期信号バーストセットにおける同期信号ブロックまたは基準信号のそれぞれは、それぞれ設定される関連付け関係を有する。
【００３５】
一実施態様では、ランダムアクセススロットのそれぞれが、１つ以上の周波数領域資源をランダムアクセス時間周波数資源として提供する。
【００３６】
上述の実施形態の方法は、基地局、送受信ポイント（ＴＲＰ）、または他の類似の装置を介して実施されてもよい。図２に示すように、ランダムアクセス物理資源を示す装置が提供され、この装置は第１設定モジュール２１および第１通知モジュール２２とを含む。
【００３７】
第１設定モジュール２１は、ブロードキャストチャネルを介してランダムアクセススロットの内部構造を準静的に設定するよう構成される。
【００３８】
第１通知モジュール２２は、ダウンリンク同期信号ブロックまたは基準信号と第１ランダムアクセススロットとの関連付け関係を、システムメッセージを介して端末に通知するよう構成される。たとえば、第１通知モジュール２２は、ダウンリンク同期信号ブロックまたは基準信号と第１ランダムアクセススロットとの関連付け関係を、ランダムアクセススロットの内部構造に従って、システムメッセージを介して、端末に通知するよう構成される。
【００３９】
一実施態様では、ランダムアクセススロットの内部構造は、
‐ランダムアクセススロットにおけるアップリンク部に対するダウンリンク部の比率、
‐ランダムアクセススロットにおけるアップリンク部のランダムアクセスが占めるシンボルの数、および
‐ランダムアクセススロットにおけるアップリンク部のランダムアクセス物理資源の時間長、
のうち１つを少なくとも含む。
【００４０】
一実施態様では、ランダムアクセススロットの内部構造は、ダウンリンク部が支配的であるスロットか、またはアップリンク部が支配的であるスロットである。
【００４１】
一実施態様では、第１設定モジュール２１は、サポートされなければならないランダムアクセスプリアンブル形式に従って、ランダムアクセススロットの内部構造をセットするよう構成されてもよい。
【００４２】
一実施態様では、第１設定モジュール２１は、さらに、時間領域において、ダウンリンク同期信号ブロックまたは基準信号と第１ランダムアクセススロットとの関連付け関係を、ダウンリンク同期信号ブロックまたは基準信号の後のｋ番目のランダムアクセススロットが第１ランダムアクセススロットであると決定するよう構成されてもよい（ただしｋは正の整数である）。
【００４３】
一実施態様では、第１設定モジュール２１は、さらに、ダウンリンク同期信号ブロックまたは基準信号とＮ個のランダムアクセススロットとの関連付け関係を決定するよう構成されてもよく、第１通知モジュール２２は、さらに、ダウンリンク同期信号ブロックまたは基準信号とＮ個のランダムアクセススロットとの関連付けを端末に明示的にまたは暗黙的に通知するよう構成されてもよい（ただしＮは１以上の整数か、または０より大きく１未満の小数である）。
【００４４】
一実施態様では、数Ｎは、以下の設定：
‐ランダムアクセスチャネルプリアンブル形式、
‐ランダムアクセススロット設定、および
‐ランダムアクセス信号の長さ、
のうち少なくとも１つまたはこれらの任意の組み合わせによって決定される。
【００４５】
一実施態様では、第１設定モジュール２１がブロードキャストチャネルを介してランダムアクセススロットの内部構造を準静的に設定するよう構成してもよいステップは、下記の各ステップの１つを含む。
【００４６】
同期バーストセットにおける各同期信号ブロックまたは各基準信号と、それぞれ対応する第１ランダムアクセススロットとの間の関連付け関係は同じである。
【００４７】
同期バーストセットにおける同期信号ブロックまたは基準信号のそれぞれは、それぞれ設定される関連付け関係を有する。
【００４８】
一実施態様では、第１設定モジュール２１は、さらに、１つ以上の周波数領域資源をランダムアクセス時間周波数資源として提供するために、ランダムアクセススロットのそれぞれを設定するよう構成される。
【００４９】
一実施態様では、第１設定モジュール２１は、さらに、時間領域において、ダウンリンク同期信号ブロックまたは基準信号と第１ランダムアクセススロットとの関連付け関係を、ダウンリンク同期信号ブロックまたは基準信号と第１ランダムアクセススロットとの関連付け関係は時間領域におけるダウンリンク同期信号ブロックまたは基準信号のインデックスに関連すると決定するよう構成される。
【００５０】
ランダムアクセス物理資源を示す他の装置は、プロセッサまたはメモリを含む。メモリはコンピュータ実行可能命令を格納するよう構成され、このコンピュータ実行可能命令がプロセッサによって実行されると、下記の方法を実施する。
【００５１】
ランダムアクセススロットの内部構造は、ブロードキャストチャネルを介して準静的に設定される。
【００５２】
端末には、ダウンリンク同期信号ブロックまたは基準信号と第１ランダムアクセススロットとの関連付け関係が、システムメッセージを介して通知される。
【００５３】
本実施形態におけるランダムアクセス物理資源を示す装置は、本実施形態の方法の詳細をすべて実施してもよい。本方法に関連する記載が参照されてもよい。実際の適用では、本実施形態におけるランダムアクセス物理資源を示す装置は、本実施形態の上述の機能および方法を、基地局、送受信ポイントまたは他の類似の装置上で構成されることにより実施してもよく、または、本実施形態におけるランダムアクセス物理資源を示す装置は、直接的に基地局、送受信ポイントまたは他の類似の装置であってもよい。実際の適用では、第１設定モジュール２１および第１通知モジュール２２は、それぞれソフトウェア、ハードウェアまたはこれらの組み合わせにより実施されてもよい。たとえば、第１設定モジュール２１は、基地局、送受信ポイントまたは他の類似の装置により実施されてもよく、第１通知モジュール２２は、基地局、送受信ポイントまたは他の類似の装置の通信ユニットにより実施されてもよい。別の例として、第１設定モジュール２１は、基地局、送受信ポイントまたは他の類似の装置のプロセッサにより実施されてもよく、第１通知モジュール２２は、基地局、送受信ポイントまたは他の類似の装置の通信ユニットおよびプロセッサの組み合わせによって実施されてもよい。これについて本明細書では限定を設けない。
【００５４】
［実施形態２］
図３に示すように、ランダムアクセス物理資源を示す方法が提供され、下記の各ステップを含んでもよい。
【００５５】
ステップ３０１において、ランダムアクセススロットの内部構造（基地局または送受信ポイント（ＴＲＰ）によってブロードキャストチャネルを介して準静的に設定されたもの）が受信される。ランダムアクセススロットの内部構造は、ダウンリンク同期信号ブロックまたは基準信号と第１ランダムアクセススロットとの関連付け関係のタイプ（たとえば、ダウンリンク同期信号ブロックと第１ランダムアクセススロットとの関連付け関係が、基準信号と第１ランダムアクセススロットとの関連付け関係と同じであり得るか、または異なり得るか）を決定するために用いられてもよい。
【００５６】
ステップ３０２において、基地局または送受信ポイントからのダウンリンク同期信号ブロックまたは基準信号と第１ランダムアクセススロットとの関連付け関係に従って、使用中のランダムアクセススロットが決定される。ステップ３０２において、ランダムアクセススロットの設定された内部構造に従って、使用中のランダムアクセススロットが決定される。
【００５７】
ステップ３０３において、ランダムアクセス信号が、決定されたランダムアクセススロットで、またはそのランダムアクセススロットの一部で、送信される。
【００５８】
実際の適用では、ダウンリンク同期信号ブロックまたは基準信号とランダムアクセススロットとの関連付け関係には複数のランダムアクセススロットが関与してもよく、Ｎ個のランダムアクセススロットが提供されてもよい（実施形態１において説明したように）。本実施形態における第１ランダムアクセススロットは、複数のランダムアクセススロットのうち第１のスロットを表し、各ランダムアクセススロットは、始点＋数によって完全に表現されてもよい。任意選択で、数Ｎが個別に通知されてもよく、第１ランダムアクセススロットもまた個別に通知されてもよい。
【００５９】
一実施態様では、ランダムアクセススロットの内部構造は、
‐ランダムアクセススロットにおけるアップリンク部に対するダウンリンク部の比率、
‐ランダムアクセススロットにおけるアップリンク部のランダムアクセスが占めるシンボルの数、
‐ランダムアクセススロットにおけるアップリンク部のランダムアクセス物理資源の時間長、および
‐ランダムアクセススロットにおけるアップリンク部に対するＲＡＣＨ機会の数、
のうち１つを少なくとも含む。
【００６０】
一実施態様では、ランダムアクセススロットの内部構造は、以下に記述する条件：
‐ランダムアクセススロットにおいてダウンリンク部が支配的である。
‐ランダムアクセススロットにおいてアップリンク部が支配的である。
のうち１つを満たしてもよい。
【００６１】
一実施態様では、時間領域において、ダウンリンク同期信号ブロックと第１ランダムアクセススロットとの関連付け関係は、ダウンリンク同期信号ブロックまたは基準信号の後のｋ番目のランダムアクセススロットが第１ランダムアクセススロットであるというものである（ただしｋは正の整数である）。この時に、決定されたランダムアクセススロットで、またはそのランダムアクセススロットの一部で、ランダムアクセス信号が送信されるステップは、開始位置として、第１ランダムアクセススロットを取るか、または、第１ランダムアクセススロットの後の任意のランダムアクセススロットをランダムに選択することにより、ランダムアクセス信号を送信することを含んでもよい。
【００６２】
一実施態様では、決定されたランダムアクセススロットで、またはそのランダムアクセススロットの一部で、ランダムアクセス信号が送信されるステップは、ランダムアクセス信号を送信するためにＮ個のランダムアクセススロットを選択することを含んでもよい（ただしＮは１以上の整数であるか、または０より大きく１未満の小数である）。
【００６３】
一実施態様では、数Ｎは、下記の設定：
‐ランダムアクセスチャネルプリアンブル形式、
‐ランダムアクセススロット設定、および
‐ランダムアクセス信号の長さ、
のうち少なくとも１つまたはこれらの任意の組み合わせによって決定される。
【００６４】
一実施態様では、決定されたランダムアクセススロットで、またはそのランダムアクセススロットの一部で、ランダムアクセス信号が送信されるステップは、ランダムアクセススロットにおけるランダムアクセス信号の開始位置がダウンリンク同期信号ブロックまたは基準信号のインデックス数と数Ｎとによって決定されるということを含んでもよい。
【００６５】
一実施態様では、方法は、さらに、ランダムアクセススロットのそれぞれにおいて
１つ以上の周波数領域資源をランダムアクセス時間周波数資源として選択することを含んでもよく、そのようにするとランダムアクセス信号がランダムアクセス時間周波数資源で送信される。
【００６６】
一実施態様では、決定されたランダムアクセススロットで、またはそのランダムアクセススロットの一部で、ランダムアクセス信号が送信されるステップは、ランダムアクセス信号が送信される時に、周波数領域ランダム化の一態様として、周波数領域資源または周波数領域位置を決定することを含んでもよい。
【００６７】
一実施態様では、ダウンリンク同期信号ブロックまたは基準信号と第１ランダムアクセススロットとの関連付け関係は、時間領域におけるダウンリンク同期信号ブロックまたは基準信号のインデックスに関連する。この時に、決定されたランダムアクセススロットで、またはそのランダムアクセススロットの一部で、ランダムアクセス信号が送信されるステップは、開始位置として、第１ランダムアクセススロットを取るか、または第１ランダムアクセススロットの後の任意のランダムアクセススロットをランダムに選択することによって、ランダムアクセス信号を送信することを含んでもよい。
【００６８】
本実施形態の上述の方法は、端末または他の類似の装置を介して実施されてもよい。
【００６９】
図４に示すように、ランダムアクセス物理資源を示す装置が提供され、第２受信モジュール４１と、第２決定モジュール４２と、第２送信モジュール４３とを含んでもよい。
【００７０】
第２受信モジュール４１は、ブロードキャストチャネルを介して基地局または送受信ポイント（ＴＲＰ）によって準静的に設定されたランダムアクセススロットの内部構造を受信するよう構成される。
【００７１】
第２決定モジュール４２は、使用中のランダムアクセススロットを、基地局または送受信ポイントからのダウンリンク同期信号ブロックまたは基準信号と、第１ランダムアクセススロットとの関連付け関係に従って決定するよう構成されれる。
【００７２】
第２送信モジュール４３は、決定されたランダムアクセススロットで、またはそのランダムアクセススロットの一部で、ランダムアクセス信号を送信するよう構成される。
【００７３】
一実施態様では、ランダムアクセススロットの内部構造は、
‐ランダムアクセススロットにおけるアップリンク部に対するダウンリンク部の比率、
‐ランダムアクセススロットにおけるランダムアクセスが占めるシンボルの数、
‐ランダムアクセススロットにおけるランダムアクセス物理資源の時間長、および
‐ランダムアクセススロットにおけるアップリンク部に対するＲＡＣＨ機会の数、
のうち１つを少なくとも含む。
【００７４】
一実施態様では、ランダムアクセススロットの内部構造は、以下に記述する条件：
‐ランダムアクセススロットにおいてダウンリンク部が支配的である。
‐ランダムアクセススロットにおいてアップリンク部が支配的である。
のうち１つを満たす。
【００７５】
一実施態様では、時間領域において、ダウンリンク同期信号ブロックまたは基準信号と第１ランダムアクセススロットとの関連付け関係は、ダウンリンク同期信号ブロックまたは基準信号の後のｋ番目のランダムアクセススロットが第１ランダムアクセススロットであるというものであってもよい（ただしｋは正の整数である）。この時に、第２送信モジュール４３は、開始位置として、第１ランダムアクセススロットを取るか、または第１ランダムアクセススロットの後の任意のランダムアクセススロットをランダムに選択することによって、ランダムアクセス信号を送信するために具体的に用いられてもよい。
【００７６】
一実施態様では、第２送信モジュール４３は、ランダムアクセス信号を送信するためにＮ個のランダムアクセススロットを選択するよう構成されてもよい。Ｎは１以上の整数であるか、または０より大きく１未満の小数である。一実施態様では、数Ｎは、以下の設定：ランダムアクセスチャネルプリアンブル形式、ランダムアクセススロット設定、ランダムアクセス信号の長さ、のうち少なくとも１つまたはこれらの任意の組み合わせによって決定される。
【００７７】
一実施態様では、第２送信モジュール４３は、さらに、ランダムアクセススロットにおけるランダムアクセス信号の開始位置を、ダウンリンク同期信号ブロックまたは基準信号のインデックス数と数Ｎとを介して決定するよう構成されてもよい。
【００７８】
一実施態様では、第２決定モジュール４２は、ランダムアクセススロットのそれぞれにおいて、１つ以上の周波数領域資源を、ランダムアクセス時間周波数資源として選択するよう構成されてもよく、このようにすると、ランダムアクセス時間周波数資源でランダムアクセス信号が送信される。
【００７９】
一実施態様では、第２送信モジュール４３は、さらに、ランダムアクセス信号が送信される時に、周波数領域ランダム化の一態様として、周波数領域資源または周波数領域位置を決定するよう構成されてもよい。
【００８０】
一実施態様では、ダウンリンク同期信号ブロックまたは基準信号と第１ランダムアクセススロットとの関連付け関係は、時間領域におけるダウンリンク同期信号ブロックまたは基準信号のインデックスに関連する。この時に、第２送信モジュール４３は、開始位置として、第１ランダムアクセススロットを取るか、または第１ランダムアクセススロットの後の任意のランダムアクセススロットをランダムに選択することによって、ランダムアクセス信号を送信するために具体的に用いられてもよい。
【００８１】
ランダムアクセス物理資源を示すための別の装置は、プロセッサおよびメモリを含む。メモリはコンピュータ実行可能命令を格納するよう構成され、このコンピュータ実行可能命令がプロセッサによって実行されると、下記の方法を実施する。
【００８２】
ランダムアクセススロットの内部構造（ブロードキャストチャネルを介して基地局または送受信ポイント（ＴＲＰ）によって準静的に設定されたもの）が受信される。
【００８３】
基地局または送受信ポイントからのダウンリンク同期信号ブロックまたは基準信号と、第１ランダムアクセススロットとの関連付け関係に従って、使用中のランダムアクセススロットが決定される。
【００８４】
決定されたランダムアクセススロットで、またはそのランダムアクセススロットの一部で、ランダムアクセス信号が送信される。
【００８５】
本実施形態におけるランダムアクセス物理資源を示す装置は、本実施形態の方法の詳細をすべて実施してもよい。本方法に関連する記載が参照されてもよい。実際の適用では、本実施形態におけるランダムアクセス物理資源を示す装置は、本実施形態の上述の機能および方法を、端末または他の類似の装置上で構成されることにより実施してもよいし、または、本実施形態におけるランダムアクセス物理資源を示す装置は、直接的に端末または他の類似の装置であってもよい。
【００８６】
実際の適用では、第２受信モジュール４１、第２決定モジュール４２および第２送信モジュール４３は、それぞれソフトウェア、ハードウェアまたはこれらの組み合わせにより実施されてもよい。たとえば、第２決定モジュール４２は、端末または他の類似の装置により実施されてもよい。第２受信モジュール４１および第２送信モジュール４３は、端末または他の類似の装置の通信ユニットにより実施されてもよい。別の例として、第２決定モジュール４２は、端末または他の類似の装置のプロセッサにより実施されてもよい。第２受信モジュール４１および第２送信モジュール４３は、端末または他の類似の装置の通信ユニットおよびプロセッサの組み合わせによって実施されてもよい。これについて本明細書では限定を設けない。
【００８７】
［実施形態３］
一実施形態は、ランダムアクセス物理資源を示す方法を提供する。処理を以下に説明する。
【００８８】
ランダムアクセススロットの内部構造は、基地局またはＴＲＰによって、ブロードキャストチャネルを介して準静的に設定される。
【００８９】
ブロードキャストチャネルを介して基地局またはＴＲＰによって準静的に設定されたランダムアクセススロットの内部構造を、端末が受信する。
【００９０】
基地局またはＴＲＰは、システムメッセージを介して、ダウンリンク同期信号ブロックまたは基準信号と第１ランダムアクセススロットとの関連付け関係を端末に通知する。
【００９１】
端末は、受信したダウンリンク信号またはチャネルの品質と、ダウンリンク同期信号ブロックまたは基準信号と第１ランダムアクセススロットとの関連付け関係とに従って、ランダムアクセススロットを決定する。
【００９２】
端末は、決定されたランダムアクセススロットで、またはそのランダムアクセススロットの一部で、ランダムアクセス信号を送信する。
【００９３】
本実施形態の具体的な実施処理において、実施形態１および実施形態２を参照してもよい。上述の実施形態１および実施形態２を参照してもよい。
【００９４】
端末が選択したダウンリンク送信ビームの情報をどのようにして基地局が取得するかという問題を解決するために、端末が受信した初期ダウンリンク信号またはチャネルとランダムアクセス物理資源との関連付け関係を確立することを考慮することが必要である。共通信号は、様々なタイプの同期信号であり得る。共通チャネルは、ブロードキャストチャネル、共通制御情報を搬送するチャネル、共通トラフィックを搬送するチャネル、等であってもよい。
【００９５】
最も単純な対応関係は、ダウンリンク信号またはチャネルと、ランダムアクセス物理資源プールのサブセットとの間に一対一マッピングの対応関係を確立することである。図５に示すように、たとえば上述の共通信号またはチャネルを搬送する資源の特定のブロックは、同期信号ブロック（ＳＳブロック）と呼ばれる。ＳＳブロックは、単に可能な名称であり、搬送される対応するダウンリンク信号またはチャネルの機能的特徴を限定するものではない。各ＳＳブロックは、ある特定のビーム方向の、またはあるアンテナポートからの、ダウンリンク信号またはチャネルの少なくとも１つに対応する。ＳＳブロックは、ランダムアクセス物理資源サブセットと一対一対応関係を有する。たとえば図５に示すように、ダウンリンクＳＳブロック１または基準信号１とＲＡＣＨ資源１との間に一対一対応が存在し、ダウンリンクＳＳブロック２または基準信号２とＲＡＣＨ資源２との間に一対一関係が存在し、ダウンリンクＳＳブロック３または基準信号３とＲＡＣＨ資源３との間に一対一対応が存在し、ダウンリンクＳＳブロック４または基準信号４とＲＡＣＨ資源４との間に一対一関係が存在する。
【００９６】
ここで、一対一の対応は、比較的単純な対応関係である。端末は、対応するランダムアクセス物理資源を取得するためにそのような対応関係を取得し、その後、選択されたダウンリンク信号またはチャネルに従って、対応するランダムアクセス物理資源を決定する必要がある。
【００９７】
任意選択の例で、基地局のＳＳブロックは、同期信号を搬送する最小単位であり、あるビーム方向において、またはあるアンテナポートから、同期信号を搬送する。時間領域において、複数のＳＳブロックが組み合わされて同期信号バースト（ＳＳバースト）となり、時間領域において、複数のＳＳバーストが組み合わされて同期信号バーストセット（ＳＳバーストセット）となる。１つのＳＳバーストセットは、すべてのビーム方向における、または、すべてのアンテナポートからの、同期信号を含み、各同期信号はＳＳバーストセットの期間中に繰り返し送信される。ＳＳバーストセットの例を図６に示す。
【００９８】
ランダムアクセスチャネル（ＲＡＣＨ）機会は、設定されたランダムアクセスプリアンブル形式で送信されるランダムアクセス信号が使用する時間周波数資源として定義される。端末はダウンリンク信号またはチャネルを受信し、その品質を検出して品質情報を取得する。たとえば、ＳＳブロックの受信信号の強度が検出され、受信信号の強度に従って適切なＳＳブロックが選択され、ダウンリンク信号またはチャネルとランダムアクセス物理資源プールのサブセットとの対応関係を組み合わせることによって、ランダムアクセスチャネル（ＲＡＣＨ）機会が使用する時間周波数資源が決定される。基地局は、ランダムアクセス信号を受信することによって、端末が好むＳＳブロックを間接的に知ってもよい。
【００９９】
ＲＡＣＨ機会内で送信されるランダムアクセス信号は、アップリンクで受信されるすべての可能なビーム方向に対応するか、または受信アンテナポートに対応する。基地局は、ランダムアクセス信号を検出するために、すべての受信ビーム方向または受信アンテナポートを必要とする。基地局がビームレシプロシティを有しないシナリオでは、端末がランダムアクセス信号を繰り返し送信して、基地局がランダムアクセス信号を検出することによって好ましいダウンリンク送信ビームおよび好ましいアップリンク受信ビームをそれぞれ取得できることを保証しなければならない。基地局がビームレシプロシティを有するシナリオでは、端末はランダムアクセス信号を繰り返し送信しなくともよい場合がある。
【０１００】
ダウンリンク信号またはチャネルと、ランダムアクセス物理資源プールのサブセットとの対応関係が記述される時、ランダムアクセス物理資源プールのＲＡＣＨ機会が占める資源の表現は論理資源であり、論理資源は最終的には物理資源で具体化されなければならない。ここで、ランダムアクセス信号を送信するための物理資源を、ランダムアクセススロットと定義する。新世代移動体通信システムでは、１つのスロットをダウンリンクスロットおよびアップリンクスロットに分割することができる。ダウンリンクスロットまたはアップリンクスロットは、単純なダウンリンク信号およびダウンリンクチャネルまたはアップリンク信号およびアップリンクチャネルではなく、ダウンリンク信号およびダウンリンクチャネルがダウンリンクスロットにおいてより高い比率を有するということか、または、アップリンク信号およびアップリンクチャネルがアップリンクスロットにおいてより高い比率を有するということを意味する。
【０１０１】
図７に、アップリンクスロットおよびダウンリンクスロットを含むスロットの例を示す。図７に示す例では、ダウンリンクスロットは時分割二重（ＴＤＤ）モードにあり、１４個のシンボルを有し、ダウンリンク制御チャネル（ＤＬＣ）および同期信号ブロック（ＳＳＢ）は５０％を超える比率で１０個のシンボルを占め、アップリンク信号ＲＡＣＨおよび物理アップリンク制御チャネル（ＰＵＣＣＨ）は２個のシンボルを占める。図７に示す例では、アップリンクスロットはＴＤＤモードにあり、１４個のシンボルを有し、ダウンリンク制御チャネル（ＤＬＣ）は２個のシンボルを占め、アップリンク信号ＲＡＣＨおよびＰＵＣＣＨは５０％を超える比率で１０個のシンボルを占める。
【０１０２】
アップリンクＲＡＣＨ信号を搬送するために、ダウンリンクスロットおよびアップリンクスロットの双方を用いることができ、ランダムアクセス信号を搬送するために用いられるスロットはランダムアクセススロットと呼ばれる。ダウンリンクスロットおよびアップリンクスロットの内部構造は、図７の例には限定されない。様々な設定可能性が存在する。すなわち、スロットの内部構造が動的に調整される時には、ランダムアクセス信号を送信するために用いられる様々なスロットのインターバルサイズが動的に変化する。時間変化の粒度は、少なくとも１スロットである。変化が最も高速な時には、様々なランダムアクセススロットのそれぞれが提供する資源の数が異なり得る。ダウンリンクチャネルまたはダウンリンクチャネル（典型的にはＳＳＢ）と、ランダムアクセス物理資源プールの特定のサブセット（典型的にはＲＡＣＨ機会）との関連付け関係に従ってＲＡＣＨを送信するための物理資源を、端末が探索する時には、ＲＡＣＨ物理資源を取得するためにスロット内のダウンリンク制御チャネルにおけるダウンリンク制御情報（ＤＣＩ）を読み取り、そのスロットの内部構造におけるＲＡＣＨ資源のアロケーションを取得する必要がある。その後、間接的な計算を介して、特定の物理資源位置が取得される。ＤＣＩ情報が常に読み取られる場合には、端末の電力消費を低減する上で非常に不利である。さらに、ランダムアクセススロットにおけるＲＡＣＨ資源の動的変化があるので、ＳＳバーストセット期間におけるランダムアクセス物理資源が十分か否かを決定するのは一般的に困難である。
【０１０３】
ランダムアクセススロットのタイプが再設定される前に、ランダムアクセススロットの内部構造は変化しないまま維持されるべきである。すなわち、内部ダウンリンクおよびアップリンクの比率、ランダムアクセスが占めるシンボルの数、および、ランダムアクセス物理資源の時間長が、変化しないまま維持されるべきである。日および月の単位での長期パラメータに関して、ランダムアクセススロットの内部構造は準静的であることが好ましい。準静的設定は、ブロードキャストメッセージを介して実施することができる。設定セットのために複数のオプションが存在してもよい。オプションは、ダウンリンクスロット、アップリンクスロット、等であってもよい。ブロードキャストメッセージにおいて通知されるランダムアクセススロットの設定は、ランダムアクセススロットの内部構造のインデックスでマークされてもよい。基地局によって、スロットがサポートしなければならないランダムアクセスプリアンブル形式に従って、特定の設定が選択される。特別なケースでは、準静的設定は完全に静的な硬化設定になってもよい。
【０１０４】
基地局はさらに、システムが利用可能なランダムアクセススロットをすべて決定する必要がある。ランダムアクセススロットの密度と、資源のアロケーション位置とは、基地局が採用するランダムアクセスプリアンブル形式、ランダムアクセススロットの内部構造においてアップリンク送信のために提供されるランダムアクセス領域のサイズ、基地局が周波数領域において複数の異なるビームを同時に受信できるか否か、基地局がビーム受信および送信のレシプロシティを有するか否か、等を含む様々な要因に依存する。ＳＳバーストセット期間中にランダムアクセススロットによって提供されるＲＡＣＨ機会の資源（時間の総和、周波数およびコード資源）は、ダウンリンクＳＳブロックまたは基準信号に関する対応関係を少なくとも満たさなければならない。
【０１０５】
基地局のビームレシプロシティの観点から、以下に２つの例を用いて、ダウンリンク信号またはダウンリンクチャネル（典型的にはダウンリンクＳＳブロックまたは基準信号）とランダムアクセス物理資源プールのサブセット（典型的にはＲＡＣＨ機会）との関連付け関係が存在する場合に、ＲＡＣＨ（すなわちランダムアクセススロット）を送信するための物理資源をいかにして決定するかを、それぞれ例示する。
【０１０６】
［例１］
本例は、基地局がビームレシプロシティを有しないシナリオにおいて、ＲＡＣＨを送信するための物理資源（すなわちランダムアクセススロット）を決定する処理を詳細に説明する。
【０１０７】
図８は、ダウンリンクＳＳブロックまたは基準信号、機会およびＲＡＣＨスロットのマッピング関係を示す。異なるＳＳブロックまたは基準信号は、異なるＲＡＣＨ機会に対応する。機会は論理資源数であり、具体的な物理ＲＡＣＨスロットへとマッピングされなければならない。図８は典型的な設定であり、すなわち、１つのＳＳブロックが１つのＲＡＣＨ機会に対応し、ＲＡＣＨ機会の論理資源はランダムアクセス物理スロットによって搬送され得る。物理スロット内の８個のＲＡＣＨシンボルを例にとると、基地局が８個の異なる受信ビームについて学習および検出を行うために、同じランダムアクセスシンボルおよびシーケンスが８回繰り返される必要があることが示される。ここで、ランダムアクセス信号の巡回プレフィクス（ＣＰ）と、差分スロットダウンリンクおよびアップリンクに対するガード期間（ＧＰ）とは、資源を共有してもよい。ＰＵＣＣＨおよびランダムアクセス信号のガード時間（ＧＴ）は資源を共有してもよい。
【０１０８】
図９は第２の典型的な設定を示す。すなわち、１つのダウンリンクＳＳブロックまたは基準信号が１つのＲＡＣＨ機会に対応し、１つのＲＡＣＨ機会の論理資源は、複数の（たとえば２個の）ランダムアクセス物理スロットによって搬送され得る。２個の物理スロット内に、合計で１６個のＲＡＣＨシンボルが存在する。基地局が１６個の異なる受信ビームについて学習および検出を実行するために、同じランダムアクセスシンボルおよびシーケンスが１６回繰り返される必要がある。アップリンクスロット１およびアップリンクスロット２は、連続的に送信されてもよいし、不連続に送信されてもよい。ＳＳバーストセット期間が長く、より多くのＳＳブロックを収容している場合には、対応するＲＡＣＨ機会も長くなり、より多くのＲＡＣＨ物理スロットがマッピングされる。
【０１０９】
図１０は、第３の典型的な設定を示す。すなわち、１つのダウンリンクＳＳブロックまたは基準信号が１つのＲＡＣＨ機会に対応し、複数の機会の論理資源が１つのランダムアクセス物理スロットによって搬送され得る。１つの物理スロット内に、合計で８個のＲＡＣＨシンボルが存在する。基地局が４個の異なる受信ビームについて学習および検出を実行するために、同じＲＡＣＨ機会の同じランダムアクセスシンボルおよびシーケンスが４回繰り返される必要がある。
【０１１０】
上述の３つの典型的なマッピング関係は、基地局がビームレシプロシティを有しないという条件下で、ＲＡＣＨ機会とランダムアクセス物理資源との、一対一、一対多、および多対一のマッピング関係をカバーし得るということが明らかである。基地局は端末に、少なくとも、ダウンリンクＳＳブロックまたは基準信号と初期ＲＡＣＨスロットとのマッピング関係のＳＳブロックを通知する必要がある。たとえば、ダウンリンクＳＳブロックまたは基準信号の後に、初期アクセスが実行され得るＲＡＣＨスロットのランク数が通知される。とくに、ＲＡＣＨ機会とランダムアクセス物理資源とが多対一関係にある場合には、初期アクセスが実行され得るスロットのランク数が通知される必要があり、スロット内の特定の開始位置が決定されなければならない。このスロット内の特定の開始位置は、直接的に通知されてもよいし、これに加えて、ダウンリンクＳＳブロックまたは基準信号のインデックス数と１つの物理スロットで搬送可能なランダムアクセス信号の数とによって、間接的に決定されてもよい。
【０１１１】
基地局はさらに、１つのダウンリンクＳＳブロックまたは基準信号に、いくつのＲＡＣＨスロットがマッピング可能か（すなわち、ランダムアクセス信号を送信するために、ダウンリンクＳＳブロックまたは基準信号に対応するランダムアクセス信号がＲＡＣＨスロットをいくつ使用可能か）を通知してもよい。この数関係は、１つのＲＡＣＨスロット内で搬送可能なランダムアクセス信号の数に逆相関する。ここでは、ＲＡＣＨスロットの数は、１以上の整数だけでなく、０より大きく１未満の小数であってもよい（たとえば、ランダムアクセス信号がＲＡＣＨスロットの半分しか使用できないということを示す０．５、および、ランダムアクセス信号がＲＡＣＨスロットの１／４しか占めることができないということを示す０．２５）。ダウンリンクＳＳブロックまたは基準信号に対応するランダムアクセス信号が使用可能なＲＡＣＨスロットの数は、設定された物理ランダムアクセスチャネル形式と、ランダムアクセス信号の長さとを介して、間接的に計算されてもよい。
【０１１２】
ＳＳバーストセット内のすべてのダウンリンクＳＳブロックまたは基準信号について、すべてのダウンリンクＳＳブロックまたは基準信号に対して上述の単一のマッピング関係を適用してもよい。また、各ダウンリンクＳＳブロックまたは基準信号が、それぞれ独立したマッピング関係を有すると考えてもよい。独立したマッピング関係の設定は、より多くのシグナリングオーバーヘッドを要する。シグナリングオーバーヘッドを節約する観点からは、統一された設定ですべてのダウンリンクＳＳブロックまたは基準信号について、単一のマッピング関係がより有利である。ダウンリンクＳＳブロックまたは基準信号のそれぞれにマッピングされるべきＲＡＣＨ資源が均一でない場合には、周波数領域または符号領域において、ダウンリンクＳＳブロックまたは基準信号のそれぞれに要求されるＲＡＣＨ資源が追加されてもよい。
【０１１３】
［例２］
本例は、基地局がビームレシプロシティを有するシナリオにおいて、ＲＡＣＨを送信するための物理資源（すなわちランダムアクセススロット）を決定する処理を詳細に説明する。
【０１１４】
基地局がビームレシプロシティを有しないシナリオとは異なり、基地局がビームレシプロシティを有する場合には、基地局の受信ビームによるスキャンの必要性に応えるためにランダムアクセスシンボルおよびシーケンスを複数回繰り返す必要はない（ただしカバレッジを増強するためにシーケンスまたはシンボルを繰り返す場合を除外しない）。上述のように、ＲＡＣＨ機会内で送信されるランダムアクセス信号は、アップリンクで受信されるすべての可能なビーム方向に対応するか、または受信アンテナポートに対応する。ビームがレシプロシティを有する場合には、ＲＡＣＨ機会の表現形式は、レシプロシティがない条件下のものとは異なる。図１１は、ダウンリンクＳＳブロックまたは基準信号、機会、およびＲＡＣＨスロットのマッピング関係を示す。同じＳＳバーストセット内の異なるダウンリンクＳＳブロックまたは基準信号が、１つのＲＡＣＨ機会に対応する。機会は論理資源数であり、具体的な物理ＲＡＣＨスロットへとマッピングされなければならない。図１１は典型的な設定であり、すなわち、１つのダウンリンクＳＳブロックまたは基準信号が、１つのＲＡＣＨ機会の資源の一部（基地局の受信ビームに対応する）に対応し、１つのＲＡＣＨ機会の各論理資源は複数のランダムアクセス物理スロットによって搬送され、ある特定のダウンリンクＳＳブロックまたは基準信号が、複数のランダムアクセス物理スロットのうち１つに対応する。
【０１１５】
図１２は、別の可能な典型的な設定を示し、すなわち、１つのダウンリンクＳＳブロックまたは基準信号が、１つのＲＡＣＨ機会の資源の一部（基地局の受信ビームに対応する）に対応し、１つのＲＡＣＨ機会の各論理資源は複数のランダムアクセス物理スロットによって搬送され、特定のダウンリンクＳＳブロックまたは基準信号が、複数のランダムアクセス物理スロットのうち１つに対応する。すなわち、１つのランダムアクセス物理スロットが、複数のダウンリンクＳＳブロックまたは基準信号にマッピングされる。
【０１１６】
例１の、図９に示す設定と同様に、複数のランダムアクセス物理スロットに１つのダウンリンクＳＳブロックまたは基準信号が対応することも可能であるが、ここでは繰り返しの説明はしない。
【０１１７】
基地局がレシプロシティを有するか否かに関わらず、ダウンリンクＳＳブロックまたは基準信号とランダムアクセススロットとのマッピング関係には、ある共通性が存在する。
【０１１８】
同様に、基地局は端末に、ダウンリンクＳＳブロックまたは基準信号と初期ＲＡＣＨスロットとのマッピング関係を、少なくとも通知する必要がある。たとえば、ダウンリンクＳＳブロックまたは基準信号の後の、初期アクセスが実行され得るＲＡＣＨスロットのランク数が通知される。とくに、ダウンリンクＳＳブロックまたは基準信号とランダムアクセス物理資源とが多対一関係にある場合には、初期アクセスが実行され得るスロットのランク数が通知される必要があり、スロット内の特定の開始位置が決定されなければならない。このスロット内の特定の開始位置は、直接的に通知されてもよいし、これに加えて、
ダウンリンクＳＳブロックまたは基準信号のインデックス数と１つの物理スロットで搬送可能なランダムアクセス信号の数とによって、間接的に決定されてもよい。
【０１１９】
基地局はさらに、端末に、ダウンリンクＳＳブロックまたは基準信号と初期ＲＡＣＨスロットとのマッピング関係を、他の実施態様で通知してもよい。たとえば、時間領域において、ダウンリンクＳＳブロックまたは基準信号と初期ＲＡＣＨスロットとの関連付け関係は、ダウンリンクＳＳブロックまたは基準信号のインデックスに関連する。すなわち、ダウンリンクＳＳブロックまたは基準信号のインデックスがｉである場合には、インデックスがｉであるＲＡＣＨスロットまたは機能的関係がｉであるＲＡＣＨスロットが、関連付けられた初期ＲＡＣＨスロットである。
【０１２０】
基地局はさらに、１つのダウンリンクＳＳブロックまたは基準信号に、いくつのＲＡＣＨスロットがマッピング可能か（すなわち、ランダムアクセス信号を送信するために、ダウンリンクＳＳブロックまたは基準信号に対応するランダムアクセス信号がＲＡＣＨスロットをいくつ使用可能であるか）を通知してもよい。この数関係は、１つのＲＡＣＨスロット内で搬送可能なランダムアクセス信号の数に逆相関する。ここでは、ＲＡＣＨスロットの数は、１以上の整数だけでなく、０より大きく１未満の小数であってもよい（たとえば、ランダムアクセス信号がＲＡＣＨスロットの半分しか使用できないということを示す０．５、および、ランダムアクセス信号がＲＡＣＨスロットの１／４しか占めることができないということを示す０．２５）。ダウンリンクＳＳブロックまたは基準信号に対応するランダムアクセス信号が使用可能なＲＡＣＨスロットの数は、設定された物理ランダムアクセスチャネル形式と、ランダムアクセス信号の長さとを介して、間接的に計算されてもよい。
【０１２１】
ＳＳバーストセット内のすべてのダウンリンクＳＳブロックまたは基準信号について、すべてのダウンリンクＳＳブロックまたは基準信号に対して上述の単一のマッピング関係を適用してもよい。また、各ダウンリンクＳＳブロックまたは基準信号が、それぞれ独立したマッピング関係を有すると考えてもよい。独立したマッピング関係の設定は、より多くのシグナリングオーバーヘッドを要する（たとえば、ＳＳブロック０のマッピング関係がｋ＝４であり、ＳＳブロック１のマッピング関係がｋ＝３であり、ＳＳブロック２のマッピング関係がｋ＝６であり、ｋは均一な値ではない）。シグナリングオーバーヘッドを節約する観点からは、統一された設定ですべてのダウンリンクＳＳブロックまたは基準信号について、単一のマッピング関係がより有利である。ダウンリンクＳＳブロックまたは基準信号のそれぞれにマッピングされるべきＲＡＣＨ資源が均一でない場合には、周波数領域または符号領域において、ダウンリンクＳＳブロックまたは基準信号のそれぞれに要求されるＲＡＣＨ資源が追加されてもよい。
【０１２２】
上述の通知および指示の方法は、単一の端末ユーザのみならず、複数のユーザのシナリオにも当てはまる。複数のユーザが同じダウンリンクＳＳブロックまたは基準信号を好んでランダムアクセスを開始する場合には、周波数領域または符号領域のランダム化の態様で、複数のユーザに対する相互の干渉が回避される。周波数領域ランダム化が好ましく、周波数領域の位置は端末自身が決定する。
【０１２３】
加えて、本開示は、さらに、コンピュータ実行可能命令を格納するコンピュータ可読記憶媒体を提供し、このコンピュータ実行可能命令が実行されると、ランダムアクセス物理資源を示す上述の方法のいずれか１つを実施する（図１および／または図３に例示される方法を実施する、等）。
【０１２４】
任意選択で、この実施形態において、記憶媒体は、ＵＳＢフラッシュドライブ、読み取り専用メモリ（ＲＯＭ）、ランダムアクセスメモリ（ＲＡＭ）、モバイルハードディスク、磁気ディスク、光ディスク、またはプログラムコードを記憶できる他の媒体を含んでもよいが、これらに限定されない。
【０１２５】
任意選択で、記憶媒体は、過渡的でない記憶媒体である。
【０１２６】
任意選択で、この実施形態において、プロセッサが、記憶媒体に格納されたプログラムコードに従って、上述の各実施形態において説明された各方法の各ステップを実行する。
【０１２７】
任意選択で、この実施形態の特定の例について、上述の各実施形態および任意選択の実施態様において説明された各例が参照されてもよい（この実施形態では説明を繰り返さない）。
【０１２８】
当業者は、上述の方法のステップのすべてまたは一部を、関連するハードウェア（プロセッサ等）によって、プログラムによって命令される通りに実施することができ、プログラムはコンピュータ可読記憶媒体（読み出し専用メモリ、磁気ディスク、光ディスク、等）に格納することができるということを理解する。任意選択で、上述の各実施形態のステップのすべてまたは一部を、１つ以上の集積回路を用いて実施してもよい。したがって、上述の各実施形態における様々なモジュール／ユニットは、ハードウェアによって実施することができる。たとえば、これらのモジュール／ユニットの機能は、１つ以上の集積回路によって実施可能である。これらのモジュール／ユニットは、また、ソフトウェア機能モジュールの形態で実施することもできる。たとえば、これらのモジュール／ユニットの機能は、メモリに格納されたプログラム／命令を実行するためのプロセッサを用いて実施可能である。本開示の各実施形態は、ハードウェアおよびソフトウェアのいかなる特定の組み合わせにも限定されない。
【０１２９】
上記は、本開示の基本的原理、主な特徴および利益を例示し説明する。本開示は上述の各実施形態には限定されない。上述の各実施形態および明細書は、本開示の原理のみを説明する。本開示の精神および範囲から逸脱することなく、本開示に様々な変更および改良を加えることができる。変更および改良は、本開示の範囲内である。
【産業上の利用可能性】
【０１３０】
本開示では、基地局がランダムアクセススロットの内部構造を設定し、ランダムアクセススロットの内部構造に従って、システムメッセージを介して、ダウンリンクＳＳブロックまたは基準信号と第１ランダムアクセススロットとの関連付け関係を、端末に通知する。したがって、対応するダウンリンクＳＳブロックまたは基準信号を端末が正しく検出した後に、端末はその関連付け関係に従って第１ランダムアクセススロットでランダムアクセス要求を開始し、その後に、基地局は、端末に情報を正しく送信するためにどのビームを使うことができるかを知ることができる。端末に情報を送信するためにどのビームを用いるかを決定できないという問題が解決され、これと同時に、基地局による端末への情報送信の成功率が向上する。これは肯定的な産業的効果を有し、簡素な実施および良好な適用見込みを特徴付ける。
【図１】
2020512765.tif 000003
【図２】
2020512765.tif 000004
【図３】
2020512765.tif 000005
【図４】
2020512765.tif 000006
【図５】
2020512765.tif 000007
【図６】
2020512765.tif 000008
【図７】
2020512765.tif 000009
【図８】
2020512765.tif 000010
【図９】
2020512765.tif 000011
【図１０】
2020512765.tif 000012
【図１１】
2020512765.tif 000013
【図１２】
2020512765.tif 000014
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
ブロードキャストチャネルを介してランダムアクセススロットの内部構造を設定することと、
前記ランダムアクセススロットの前記内部構造を、ブロードキャストチャネルを介して送信することと、
を備える方法であって、
前記ランダムアクセススロットの前記内部構造は、
‐前記ランダムアクセススロットにおけるアップリンク部のランダムアクセスが占めるシンボルの数、および
‐前記ランダムアクセススロットにおける前記アップリンク部に対するランダムアクセスチャネル（ＲＡＣＨ）機会の数、
を備える、方法。
【請求項２】
前記ランダムアクセススロットの前記内部構造は、ランダムアクセスプリアンブル形式に従って設定される、請求項１に記載の方法。
【請求項３】
プロセッサを備える装置であって、
前記プロセッサは、
‐ブロードキャストチャネルを介してランダムアクセススロットの内部構造を設定し、
‐前記ランダムアクセススロットの前記内部構造を、ブロードキャストチャネルを介して送信する
よう構成され、
前記ランダムアクセススロットの前記内部構造は、
‐前記ランダムアクセススロットにおけるアップリンク部のランダムアクセスが占めるシンボルの数、および
‐前記ランダムアクセススロットにおける前記アップリンク部に対するランダムアクセスチャネル（ＲＡＣＨ）機会の数、
を備える、装置。
【請求項４】
前記ランダムアクセススロットの前記内部構造は、ランダムアクセスプリアンブル形式に従って設定される、請求項３に記載の装置。
【請求項５】
ブロードキャストチャネルを介して、基地局によって設定されるランダムアクセススロットの内部構造を受信することと、
ダウンリンク同期信号ブロックと前記ランダムアクセススロットまたはランダムアクセスチャネル機会との関連付けに従って、前記ランダムアクセススロットを決定することと、
決定された前記ランダムアクセススロットで、ランダムアクセス信号を送信することと、
を備える、方法。
【請求項６】
前記ランダムアクセススロットの前記内部構造は、
‐前記ランダムアクセススロットにおけるアップリンク部のランダムアクセスが占めるシンボルの数、および
‐前記ランダムアクセススロットにおける前記アップリンク部に対するランダムアクセスチャネル（ＲＡＣＨ）機会の数、
を備える、請求項５に記載の方法。
【請求項７】
プロセッサを備える装置であって、
前記プロセッサは、
ブロードキャストチャネルを介して、基地局によって設定されるランダムアクセススロットの内部構造を受信し、
ダウンリンク同期信号ブロックと前記ランダムアクセススロットまたはランダムアクセスチャネル機会との関連付けに従って、前記ランダムアクセススロットを決定し、
決定された前記ランダムアクセススロットで、ランダムアクセス信号を送信する
よう構成される、装置。
【請求項８】
前記ランダムアクセススロットの前記内部構造は、
‐前記ランダムアクセススロットにおけるアップリンク部のランダムアクセスが占めるシンボルの数、および
‐前記ランダムアクセススロットにおける前記アップリンク部に対するランダムアクセスチャネル（ＲＡＣＨ）機会の数、
を備える、請求項７に記載の装置。
【請求項９】
コンピュータ実行可能命令を格納するよう構成される、過渡的でないコンピュータ可読記憶媒体であって、前記コンピュータ実行可能命令は、実行された後に、
ブロードキャストチャネルを介してランダムアクセススロットの内部構造を設定することと、
前記ランダムアクセススロットの前記内部構造を、ブロードキャストチャネルを介して送信することと、
を備える方法を実施可能であり、
前記ランダムアクセススロットの前記内部構造は、
‐前記ランダムアクセススロットにおけるアップリンク部のランダムアクセスが占めるシンボルの数、および
‐前記ランダムアクセススロットにおける前記アップリンク部に対するランダムアクセスチャネル（ＲＡＣＨ）機会の数、
を備える、過渡的でないコンピュータ可読記憶媒体。
【請求項１０】
前記ランダムアクセススロットの前記内部構造は、ランダムアクセスプリアンブル形式に従って設定される、請求項９に記載の過渡的でないコンピュータ可読記憶媒体。
【請求項１１】
コンピュータ実行可能命令を格納するよう構成される、過渡的でないコンピュータ可読記憶媒体であって、前記コンピュータ実行可能命令は、実行された後に、
ブロードキャストチャネルを介して、基地局によって設定されるランダムアクセススロットの内部構造を受信することと、
ダウンリンク同期信号ブロックと前記ランダムアクセススロットまたはランダムアクセスチャネル機会との関連付けに従って、前記ランダムアクセススロットを決定することと、
決定された前記ランダムアクセススロットで、ランダムアクセス信号を送信することと、
を備える方法を実施可能である、過渡的でないコンピュータ可読記憶媒体。
【請求項１２】
前記ランダムアクセススロットの前記内部構造は、
‐前記ランダムアクセススロットにおけるアップリンク部のランダムアクセスが占めるシンボルの数、および
‐前記ランダムアクセススロットにおける前記アップリンク部に対するランダムアクセスチャネル（ＲＡＣＨ）機会の数、
を備える、請求項１１に記載の過渡的でないコンピュータ可読記憶媒体。
【請求項１３】
前記ダウンリンク同期信号ブロックと前記ランダムアクセススロットまたは前記ランダムアクセスチャネル機会との前記関連付けは、システムメッセージを介して受信される、請求項１１に記載の過渡的でないコンピュータ可読記憶媒体。
【請求項１４】
前記ランダムアクセススロットまたは前記ランダムアクセスチャネル機会は、前記ダウンリンク同期信号ブロックのインデックスに関連する、請求項１１に記載の過渡的でないコンピュータ可読記憶媒体。
【請求項１５】
前記ダウンリンク同期信号ブロックと前記ランダムアクセススロットまたは前記ランダムアクセスチャネル機会との前記関連付けは、別のダウンリンク同期信号ブロックと別のランダムアクセススロットまたは別のランダムアクセスチャネル機会との、別の関連付けと同じである、請求項１１に記載の過渡的でないコンピュータ可読記憶媒体。
【請求項１６】
前記ダウンリンク同期信号ブロックと前記ランダムアクセススロットまたは前記ランダムアクセスチャネル機会との前記関連付けは、システムメッセージを介して受信される、請求項５に記載の方法。
【請求項１７】
前記ランダムアクセススロットまたは前記ランダムアクセスチャネル機会は、前記ダウンリンク同期信号ブロックのインデックスに関連する、請求項５に記載の方法。
【請求項１８】
前記ダウンリンク同期信号ブロックと前記ランダムアクセススロットまたは前記ランダムアクセスチャネル機会との前記関連付けは、別のダウンリンク同期信号ブロックと別のランダムアクセススロットまたは別のランダムアクセスチャネル機会との、別の関連付けと同じである、請求項５に記載の方法。
【請求項１９】
前記ダウンリンク同期信号ブロックと前記ランダムアクセススロットまたは前記ランダムアクセスチャネル機会との前記関連付けは、システムメッセージを介して受信される、請求項７に記載の装置。
【請求項２０】
前記ランダムアクセススロットまたは前記ランダムアクセスチャネル機会は、前記ダウンリンク同期信号ブロックのインデックスに関連する、請求項７に記載の装置。
【請求項２１】
前記ダウンリンク同期信号ブロックと前記ランダムアクセススロットまたは前記ランダムアクセスチャネル機会との前記関連付けは、別のダウンリンク同期信号ブロックと別のランダムアクセススロットまたは別のランダムアクセスチャネル機会との、別の関連付けと同じである、請求項７に記載の装置。
【国際調査報告】
2020512765.tif 000015
2020512765.tif 000016
2020512765.tif 000017
2020512765.tif 000018